(57)【要約】【課題】表示装置の表示部の明るさが定常的な輝度に到達していない場合に、ユーザーが表示装置の操作を行うことで視聴意思を示しても、表示部の明るさ不足のため、視認性を確保できないことがある。【解決手段】照明手段１４の点灯時から第１の時間が経過した時に、表示部１５の明るさを所定の輝度まで漸増する輝度制御部１３と、所定の操作があったか否かを判断する操作判断部１０と、照明手段１４の点灯時から所定の操作があったときまでの第２の時間を記録する操作時間記録部１１とを備え、輝度制御部１３は、操作時間記録部１１が記録している第２の時間が第１の時間以内であったとき、表示部１５の明るさを直ちに所定の輝度に制御する。【選択図】図２
2007232868.tif 000002
【特許請求の範囲】
【請求項１】
照明手段の点灯後、表示部の明るさを所定の輝度まで漸増するように制御する表示装置であって、
前記照明手段の点灯時から第１の時間が経過した時に、前記表示部の明るさを前記所定の輝度まで漸増する輝度制御部と、
所定の操作があったか否かを判断する操作判断部と、
前記照明手段の点灯時から前記所定の操作があったときまでの第２の時間を記録する操作時間記録部とを備え、
前記輝度制御部は、前記操作時間記録部が記録している前記第２の時間が前記第１の時間以内であったとき、前記表示部の明るさを直ちに前記所定の輝度に制御することを特徴とする表示装置。
【請求項２】
請求項１に記載の表示装置であって、
さらに、前記第１の時間を記録する記憶部を備え、
前記輝度制御部は、前記第２の時間が前記第１の時間以内であったとき、前記第２の時間を前記第１の時間として前記記憶部に記録することを特徴とする表示装置。
【請求項３】
請求項２に記載の表示装置であって、
前記輝度制御部は、前記第２の時間が前記第１の時間よりも長かったとき、前記第１の時間に所定時間加えた値を前記第１の時間として前記記憶部に記録することを特徴とする表示装置。
【請求項４】
請求項２または３に記載の表示装置であって、
前記記憶部は、前記照明手段の点灯毎に前記第１の時間を記録し、前記輝度制御部は、前記記憶部が記録した複数の第１の時間に基づいて前記表示部の明るさを前記所定の輝度まで漸増することを特徴とする表示装置。
【請求項５】
照明手段の点灯後、表示部の明るさを所定の輝度まで漸増するように制御する表示方法であって、
前記照明手段の点灯時から第１の時間が経過した時に、前記表示部の明るさを前記所定の輝度まで漸増する輝度制御工程と、
所定の操作があったか否かを判断する操作判断工程と、
前記照明手段の点灯時から前記所定の操作があったときまでの第２の時間を記録する操作時間記録工程とを備え、
前記輝度制御工程は、前記操作時間記録工程が記録している前記第２の時間が前記第１の時間以内であったとき、前記表示部の明るさを直ちに前記所定の輝度に制御することを特徴とする表示方法。
【発明の詳細な説明】
【技術分野】
【０００１】
本発明は、照明手段の点灯後、表示部の明るさを所定の輝度まで漸増するように制御する表示装置および表示方法に関するものである。
【背景技術】
【０００２】
従来、人間の眼の明順応特性に対応させて照明を調光制御する住宅照明器具が知られている（例えば、特許文献１参照）。また、表示装置の周囲の明るさの変化に応じて、表示画面の輝度を自動的に制御する機能を有し、様々な照明環境においても表示装置の使用者が表示文字や図形を視認しやすくする表示装置が知られている（例えば、特許文献２参照）。
【０００３】
【特許文献１】特開平６−１７６８７５号公報
【特許文献２】特許第２７５２３０９号公報
【発明の開示】
【発明が解決しようとする課題】
【０００４】
テレビのような観賞画面を持つ表示装置の画面の明るさについて、特許文献１で開示された技術を用いることで、人間の眼の明順応特性に対応させて画面の明るさを観賞者（ユーザー）が通常観賞する定常的な輝度まで漸増する表示装置を実現することができる。この表示装置の場合、画面の明るさを定常的な輝度に達するまでの漸増の仕方は予め決められており、漸増途中でユーザーがテレビを定常的な輝度で観たいとする意思（以降、「視聴意思」と呼ぶ）に関係なく漸増されることになる。また、特許文献２で開示された技術を用いて、周囲の照明環境の明るさの変化に応じて、画面の明るさを自動的に制御する表示装置を実現することができる。この表示装置の場合、画面の明るさは周囲の照明環境に対して一意的な明るさしか提供できない。従って、従来技術を用いた漸増方法では、ユーザーの画面視聴意思を反映することができないという課題があった。
【０００５】
本発明は、このような課題を解決するためになされたもので、表示部の明るさをユーザーの画面視聴意思に合った漸増の仕方とすることによって、表示画面の視認性の確保を行うことが可能な表示装置を提供することを目的とする。
【課題を解決するための手段】
【０００６】
上記目的を達成する本発明の表示装置は、照明手段の点灯後、表示部の明るさを所定の輝度まで漸増するように制御する表示装置であって、前記照明手段の点灯時から第１の時間が経過した時に、前記表示部の明るさを前記所定の輝度まで漸増する輝度制御部と、所定の操作があったか否かを判断する操作判断部と、前記照明手段の点灯時から前記所定の操作があったときまでの第２の時間を記録する操作時間記録部とを備え、前記輝度制御部は、前記操作時間記録部が記録している前記第２の時間が前記第１の時間以内であったとき、前記表示部の明るさを直ちに前記所定の輝度に制御することを要旨とする。
【０００７】
かかる表示装置によれば、表示部の明るさが所定の輝度となるまで漸増される第１の時間以内にユーザーが所定の操作を行ったとき、表示部の明るさを直ちに所定の輝度に制御する。従って、表示部が直ちに所定の輝度になるため、所定の操作後、ユーザーは視認性の確保された表示部を観賞することができる。
【０００８】
ここで、さらに、前記第１の時間を記録する記憶部を備え、前記輝度制御部は、前記第２の時間が前記第１の時間以内であったとき、前記第２の時間を前記第１の時間として前記記憶部に記録するものとしてもよい。
【０００９】
こうすれば、ユーザーが次回の照明手段点灯時も今回と同程度の時間で所定の操作を行う場合、ユーザーが次回の所定の操作を行う時間に、表示部の明るさを所定の輝度まで漸増することができる。
【００１０】
さらに、前記輝度制御部は、前記第２の時間が前記第１の時間よりも長かったとき、前記第１の時間に所定時間加えた値を前記第１の時間として前記記憶部に記録するものとしてもよい。
【００１１】
こうすれば、照明手段点灯後、第１の時間以内にユーザーによる所定の操作がなかった場合、ユーザーの視聴意思が示されなかったことになるので、表示部の明るさを前回の第１の時間よりもゆっくりと所定の輝度まで漸増することで、視聴意思を輝度の漸増後に示すユーザーに対して、例えば、漸増途中の画面輝度が眩しすぎるというような不快感を与えないものとすることができる。
【００１２】
本発明の表示装置では、前記記憶部は、前記照明手段の点灯毎に前記第１の時間を記録し、前記輝度制御部は、前記記憶部が記録した複数の第１の時間に基づいて前記表示部の明るさを前記所定の輝度まで漸増するものとしてもよい。
【００１３】
こうすれば、記憶部が記録した第１の時間は、ユーザーの視聴意図に基づいて決定されたものであるので、記憶部が記録した一つまたは複数の第１の時間を元に算出した時間を、第１の時間とすることによって、ユーザーの視聴意思を鑑みた表示部の明るさの漸増を行うことができる。
【００１４】
また、本発明を表示方法として捉えることもできる。即ち、照明手段の点灯後、表示部の明るさを所定の輝度まで漸増するように制御する表示方法であって、前記照明手段の点灯時から第１の時間が経過した時に、前記表示部の明るさを前記所定の輝度まで漸増する輝度制御工程と、所定の操作があったか否かを判断する操作判断工程と、前記照明手段の点灯時から前記所定の操作があったときまでの第２の時間を記録する操作時間記録工程とを備え、前記輝度制御工程は、前記操作時間記録工程が記録している前記第２の時間が前記第１の時間以内であったとき、前記表示部の明るさを直ちに前記所定の輝度に制御することを要旨とする。
【発明を実施するための最良の形態】
【００１５】
以下、本発明を具体化した実施形態について、図面に従って説明する。図１は本発明の一実施形態としての表示装置の外観を示す図である。この表示装置１は、液晶テレビ等の表示装置を示しており、表示ブロック２と機能操作部３とを備えたものである。表示ブロック２は、表示部とその裏に図示しない照明手段とから構成されている。機能操作部３は、表示装置１が有する所定の機能を操作するための操作ボタンで構成される。本実施形態では、操作ボタンは、チャネル変更操作、音量変更操作および電源スイッチ操作の機能操作ボタンとしている。もとより、これには限定されず、例えば、色調整操作といった他の機能操作ボタンとしてもよい。また、表示装置１が有する所定の機能の操作は、リモートコントローラによって行われてもよい。
【００１６】
図２は、表示装置１の機能構成を示す機能ブロック図である。この表示装置１は、機能操作部３と、操作判断部１０と、操作時間記録部１１と、記憶部１２と、輝度制御部１３と、照明手段１４と、表示部１５とを備えている。表示ブロック２は照明手段１４と表示部１５から構成される。機能操作部３は、機能操作ボタンであり、図２ではその一部のボタンのみを図示している。
【００１７】
表示装置１は、図示しない回路基板を備え、回路基板上に取り付けられた半導体や電子部品などによって、操作判断部１０、操作時間記録部１１、記憶部１２および輝度制御部１３は構成されている。例えば、操作判断部１０は、回路基板上の入力インターフェース装置から構成される。操作時間記録部１１は、回路基板上のタイマおよびメモリから構成される。記憶部１２は、回路基板上のメモリにより構成される。輝度制御部１３は、回路基板上の制御装置および演算装置により構成される。
【００１８】
また、照明手段１４は、表示部１５を照明する手段であり、例えば、蛍光灯やランプ、ＬＥＤ等で構成される。表示部１５は、例えば、液晶パネル等であり、照明手段１４により照明されることによって、所定の画面輝度を得るように構成される。
【００１９】
次に、本実施形態における各機能ブロックについて、その動作を説明する。なお、本実施形態では、所定の画面輝度として照明手段が輝度制御されることなく照明したときに得られる表示部の画面輝度（以降、「定常輝度」と呼ぶ）まで、第１の時間後に漸増するように照明手段１４の輝度制御を行うこととする。
【００２０】
操作判断部１０は、機能操作部３の機能操作があったか否かを判断し、その結果を操作時間記録部１１に出力する。
【００２１】
操作時間記録部１１は、照明手段１４の点灯開始から、機能操作があったときまでの時間を第２の時間として記録し、輝度制御部１３へ出力する。なお、照明手段１４の点灯開始情報については輝度制御部１３を介して入力する。
【００２２】
輝度制御部１３は、操作時間記録部１１より入力された第２の時間の情報を用いた輝度制御を行う。さらに、第２の時間の情報を用いて、次回の照明手段の点灯において定常輝度まで漸増する第１の時間の算出を行う。また、記憶部１２への第１の時間の出力を行い、記憶部１２に記録した第１の時間を入力して、次回の照明手段の点灯において定常輝度まで漸増する第１の時間（以降、「輝度漸増時間」とも呼ぶ）の算出を行う。
【００２３】
記憶部１２は、輝度制御部１３より入力される第１の時間を、一つまたは複数記録する。また、必要に応じて、記録した第１の時間を輝度制御部１３に出力する。
【００２４】
それでは、本実施形態による表示装置が行う画面輝度の漸増制御について、以下に制御例を挙げて説明する。なお、本実施形態では、以下の制御例において説明を簡単にするために、明るさの漸増の仕方は、時間と画面輝度が正比例関係となる直線とする。
【００２５】
（第１制御例）本制御例は、表示部の明るさを定常輝度まで漸増している途中で、ユーザーが視聴意思を示した場合についての輝度制御方法である。
【００２６】
輝度制御部１３は、照明手段１４の点灯後、図３に示すように、時間Ｔを第１の時間として表示部１５の明るさを定常輝度Ｌｃまで漸増するように制御を行う。輝度制御部１３は、ユーザーが機能操作を行う第２の時間を操作時間記録部１１から入力し、図４（ａ）に示すように、第２の時間Ｔ1が時間Ｔ以内であったとき、表示部１５の明るさ、即ち画面輝度を直ちに定常輝度Ｌｃに制御し、明るい画面を提供する。
【００２７】
これにより、ユーザーが機能操作を行うことで画面視聴の意思を示した場合は、画面輝度は直ちに定常輝度Ｌｃとなり、ユーザーは直ちに明るい画面で視聴することができるため、明快な視認性を得ることができる。
【００２８】
（第２制御例）本制御例は、表示部の明るさを定常輝度まで漸増している途中で、ユーザーによる表示装置の機能操作が行われた場合、次回の輝度漸増時間を変更するものである。以下に制御方法について説明する。
【００２９】
この説明において、次回の照明手段点灯をｎ回目とし、照明手段点灯ｎ回目に、定常輝度Ｌｃに輝度漸増する第１の時間をＴ[ｎ]とする。照明手段点灯ｎ−１回目に、定常輝度Ｌｃに輝度漸増する第１の時間をＴ[ｎ−１]とする。第２制御例では、輝度制御部１３は、第２の時間Ｔ1がｎ−１回目の第１の時間Ｔ[ｎ−１]以内であったとき、図４（ｂ）に示すように、第２の時間Ｔ1を次回の照明手段１４の点灯時の輝度漸増における第１の時間Ｔ[ｎ]とする。即ち、Ｔ[ｎ]＝Ｔ1とするのである。
【００３０】
これにより、ユーザーが機能操作を行うことで、第１の時間より早い段階で画面視聴の意思を示した場合は、次回は時間Ｔ1で定常輝度Ｌｃになるように輝度漸増を行うこととなり、ユーザーは早い段階で明るい画面を視聴することができる。つまり、照明手段を点灯してから、表示装置の機能操作を早く行うユーザー、即ち、早く画面視聴したいユーザーにとって、都合の良い画面の輝度漸増の仕方が実現できる。
【００３１】
（第３制御例）本制御例は、ユーザーによる表示装置の機能操作が輝度漸増途中で行われなかった場合に、次回の輝度漸増時間を変更するものである。以下に制御方法について説明する。
【００３２】
輝度制御部１３は、第２の時間が第１の時間Ｔ[ｎ−１]よりも長かったとき、図４（ｃ）に示すように、第１の時間Ｔ[ｎ−１]に所定時間ｔ0を加えた時間を、次回の照明手段１４の点灯における輝度漸増の第１の時間Ｔ[ｎ]とする。即ち、Ｔ[ｎ]＝Ｔ[ｎ−１]＋ｔ0とするのである。
【００３３】
これにより、ユーザーが第１の時間以内に機能操作を行わず、画面視聴の意思を示さなかった場合は、次回は所定時間を加えた時間で定常輝度Ｌｃになるように輝度漸増を行うことになり、画面の明るさはゆっくりと漸増することになる。つまり、定常輝度に達した後で画面視聴したいというユーザーにとって、早期に過度な明るさを与えることのない画面の輝度漸増の仕方が実現できる。
【００３４】
（第４制御例）本制御例は、記録した過去の所定回数の輝度漸増時間を用いて次回の輝度漸増時間を算出するものである。以下に制御方法について説明する。
【００３５】
輝度制御部１３は、記憶部１２より入力される過去の所定回数の第１の時間に基づき、所定の計算方法で算出した時間を、次回の輝度漸増時の第１の時間Ｔ[ｎ]とするのである。
【００３６】
これにより、過去の第１の時間の傾向に基づいて次回の輝度漸増時間を決めることができる。つまり、ユーザーが視聴意思を示す頻度の高い第２の時間を第１の時間として選択することができる。以下に第４制御例の１つを説明する。
【００３７】
この例では、ｎ−１回目の第１の時間と第２の時間に基づき、次回ｎ回目の輝度漸増時間を２つの場合に分けて決める。まず、図４（ｂ）に示したように、ｎ−１回目の照明手段点灯時の第１の時間Ｔ[ｎ−１]以内に、ユーザーによる機能操作があった場合に、その第２の時間をＴ1とする。このとき、Ｔ[ｎ]は下記の式（１）で求めるものとするのである。
Ｔ[ｎ]＝ｐＴ[ｎ−１]＋（１−ｐ）Ｔ1  …（１）
なお、ｐは０より大きく、１より小さい値をもつ係数である。
【００３８】
また、他の場合として、図４（ｃ）に示したように、ｎ−１回目の照明手段点灯時の第１の時間Ｔ[ｎ−１]以内にユーザーによる機能操作がなかった場合は、第１の時間Ｔ[ｎ−１]に所定時間ｔ0を加えた時間を使用してＴ[ｎ]を決定する。つまり、Ｔ[ｎ]は下記の式（２）で求めるものとするのである。
Ｔ[ｎ]＝ｐＴ[ｎ−１]＋（１−ｐ）（Ｔ[ｎ−１]＋ｔ0）  …（２）
なお、ｐは０より大きく、１より小さい値をもつ係数である。
【００３９】
上記式（１）または式（２）において、Ｔ1またはＴ[ｎ−１]＋ｔ0の変化量が大きいとき、係数ｐを徐々に小さくして、Ｔ1またはＴ[ｎ−１]＋ｔ0に対する応答を速くしていくことができる。また、Ｔ1またはＴ[ｎ−１]＋ｔ0の変化量が小さいとき、係数ｐを徐々に大きくして、Ｔ[ｎ]を安定化させることができる。
【００４０】
こうすれば、ｎ−１回目の照明手段点灯時の第１の時間と第２の時間を使用し、それぞれの重み付けを可変にすることを可能とした、ｎ回目の照明手段点灯時の第１の時間の算出方法が実現できる。
【００４１】
第４制御例の別の一例として、過去の規定回数分の第１の時間の平均値を算出し、それを次回の照明手段点灯時の第１の時間としてもよい。例えば、２０回分の第１の時間のデータが得られたところで、平均値を算出し、次回の照明手段点灯時の第１の時間とすることができる。こうすれば、過去の最も頻度の高い第１の時間を、次回の照明手段点灯時の第１の時間にすることができる。
【００４２】
以上、本発明の実施形態について説明したが、本発明はこうした実施形態に何ら限定されるものではなく、本発明の趣旨を逸脱しない範囲において様々な形態で実施し得ることは勿論である。例えば、上記実施形態では、表示ブロックを照明手段と表示部が別々に存在する表示装置としたが、ＰＤＰ（Ｐｌａｓｍａ  Ｄｉｓｐｌａｙ  Ｐａｎｅｌ）、ＯＬＥＤ（Ｏｒｇａｎｉｃ・Ｌｉｇｈｔ−Ｅｍｉｔｔｉｎｇ・Ｄｉｏｄｅ）、ＦＥＤ（Ｆｉｅｌｄ  Ｅｍｉｓｓｉｏｎ  Ｄｉｓｐｌａｙ）のような自発光型の表示部を備える表示装置としてもよい。
【００４３】
また、上記実施形態では、図３のグラフに示したように画面の輝度漸増の仕方を直線的に行っていたが、図５のグラフに示すように、輝度漸増の仕方を曲線的に行うこととしてもよい。このように、曲線的に輝度漸増を行うことで、人間の眼の明順応特性におおよそ対応させることができる。これにより、ユーザーにとって、画面の輝度漸増時の眩しさ等の不快感を更に低減させることが期待できる。
【００４４】
さらに、上記実施形態では、第１の時間後に定常輝度まで漸増するものとしてきたが、図６に示すように、定常輝度Ｌｃよりも低い輝度として、基準輝度Ｌａを設けて、基準輝度Ｌａに到るまでの経過時間を第１の時間Ｔとしてもよい。この場合、上記制御例における定常輝度を基準輝度に置き換え、第１の時間についても基準輝度まで漸増する経過時間に置き換えることによって、上記制御例で示した制御方法をそのまま適用できる。ただし、第１制御例において、ユーザーによる機能操作の時間が第１の時間Ｔ以内のとき、画面輝度は直ちに定常輝度Ｌｃとして、画面視認性を確保するものとする。
【００４５】
このように、基準輝度を設けることは、特に図５に示した時間Ｔ付近の漸増曲線のような、第１の時間後における画面輝度の変化が小さい場合など、定常輝度を検出するのが困難な場合には有効である。
【図面の簡単な説明】
【００４６】
【図１】本発明の表示装置の一実施形態の外観図。
【図２】本発明の表示装置の機能構成を示す機能ブロック図。
【図３】制御例における画面の輝度漸増を示すグラフ図。
【図４】（ａ）は、制御例において、第１の時間以内に機能操作が行われた場合の輝度変化を示すグラフ図。（ｂ）は、制御例において、第１の時間以内に機能操作が行われた場合の、次回の照明手段点灯時の輝度漸増を示すグラフ図。（ｃ）は、制御例において、第１の時間以内に機能操作が行われなかった場合の、次回の照明手段点灯時の輝度漸増を示すグラフ図。
【図５】人間の眼の明順応特性に対応させた場合の輝度漸増を示すグラフ図。
【図６】定常輝度および、基準輝度を示したグラフ図。
【符号の説明】
【００４７】
１…表示装置、２…表示ブロック、３…機能操作部、１０…操作判断部、１１…操作時間記録部、１２…記憶部、１３…輝度制御部、１４…照明手段、１５…表示部。
【図１】
2007232868.tif 000003
【図２】
2007232868.tif 000004
【図３】
2007232868.tif 000005
【図４】
2007232868.tif 000006
【図５】
2007232868.tif 000007
【図６】
2007232868.tif 000008